(57)【要約】【課題】  本発明は溶融させた口紅等を充填しても、口紅等の折れ強度が弱くなるのを確実に阻止することができる口紅等の収納容器を得るにある。【解決手段】溶融させた口紅等を皿部材に充填して固化させる口紅等の収納容器において、前記皿部材を６ナイロンとタングステン粉を混合したもので、かつその配合比をタングステン粉が５０パーセント以上の材料で成型したものを用いて口紅等の収納容器を構成している。【選択図】  図３
2006280553.tif 000002
【特許請求の範囲】
【請求項１】
溶融させた口紅等を皿部材に充填して固化させる口紅等の収納容器において、前記皿部材を６ナイロンとタングステン粉を混合したもので、かつその配合比をタングステン粉が５０パーセント以上の材料で成型したものを用いたことを特徴とする口紅等の収納容器。
【発明の詳細な説明】
【技術分野】
【０００１】
本発明は口紅、リップクリーム、スチックアイシャドウ、スチックファンデーション等の棒状化粧品を溶融させて皿部材に充填して固化させる口紅等の収納容器に関する。
【背景技術】
【０００２】
従来、溶融させた口紅等を充填する口紅等の収納容器にも、成型された口紅等を充填するものと同様に金属材製の筒部材と、合成樹脂材製の皿部材とを用いたものが使用されている。
【０００３】
このように構成された口紅等の収納容器は、成型された口紅等の充填では問題が生じないが、溶融された口紅等を充填した場合、口紅等の折れ強度試験を行なうと、成型された口紅等を充填したものと比べ折れやすく、折れ強度が弱いという欠点があった。
【特許文献１】実開平7−３６９３２号公報
【特許文献２】実開平7−２８９３４号公報
【発明の開示】
【発明が解決しようとする課題】
【０００４】
本発明は以上のような従来の欠点に鑑み、溶融させた口紅等を皿部材に充填しても、口紅等の折れ強度が弱くなるのを確実に阻止することができる口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は溶融させた口紅等を皿部材に充填して固化させる口紅等の収納容器において、前記皿部材を６ナイロンとタングステン粉を混合したもので、かつその配合比をタングステン粉が５０パーセント以上の材料で成型したものを用いて口紅等の収納容器を構成している。
【発明の効果】
【０００７】
以下の説明から明らかなように、本発明にあっては次に列挙する効果が得られる。
【０００８】
（１）溶融させた口紅等を皿部材に充填して固化させる口紅等の収納容器において、前記皿部材を６ナイロンとタングステン粉を混合したもので、かつその配合比をタングステン粉が５０パーセント以上の材料で成型したものを用いているので、溶融させた口紅等の充填時に全体をほぼ均一に冷やすことができる。
したがって、口紅等が固まる時に差が生じ、結晶に違いが生じるのを防止して、折れ強度が弱くなるのを阻止することができる。
【０００９】
（２）前記（１）によって、全体をほぼ均一に冷やすことができるので、口紅等の折れ強度を増すことができる。
【００１０】
（３）前記（１）によって、皿部材の材質をかえるだけでよいので、従来と同様に組み立てや口紅等の充填を行なうことができる。
したがって、従来と同じ設備を使用して生産することができる。  
【発明を実施するための最良の形態】
【００１１】
以下、図面に示す本発明を実施するための最良の形態により、本発明を詳細に説明する。
【００１２】
図１ないし図６に示す本発明を実施するための最良の第１の形態において、１は本発明の口紅等の収納容器で、この口紅等の収納容器１は底面中央部に口紅等の充填口２が形成されたハカマ部材本体３、このハカマ部材本体３内に下部が嵌合固定された上部外周部にキャップ嵌合部４が形成されたキャップ嵌合部材５とからなるハカマ部材６と、このハカマ部材６内に挿入固定された内壁面に螺旋溝７、７が形成された螺旋部材８と、この螺旋部材８内に下端部が回動可能に挿入され、傾斜面の上端部が前記キャップ嵌合部材５の上端部よりも上方へ突出する前記螺旋部材８の螺旋溝７、７と対応する部位に軸心方向の切欠部９、９が形成された金属材製の筒部材１０と、この筒部材１０内に上下移動可能に収納された下部外周部に、該筒部材１０の切欠部９、９および前記螺旋部材８の螺旋溝７、７と係合する係合ピン１１、１１、内壁面に口紅等の支持片１２が形成された前記筒部材１０の熱伝導率とほぼ同じ熱伝導率の皿部材１３と、前記キャップ嵌合部材５のキャップ嵌合部４と着脱可能に嵌合する、前記筒部材１０の上部を覆うキャップ１４とで構成されている。
【００１３】
前記皿部材１３は図２および図３に示すように、６ナイロンとタングステン粉を混合したもので、かつその配合比をタングステン粉が５０パーセント以上の材料で成型したものが使用されている。
【００１４】
上記構成の口紅等の収納容器１は図４に示すように、皿部材１３を最下部へ位置させるとともに、筒部材１０の上端部に仮蓋１５を取付ける。
この状態で、ハカマ部材６を上部に位置させ、該ハカマ部材６の口紅等の充填口２より溶融させた口紅等１６を充填することにより、筒部材１０内と皿部材１３内とに口紅等が入り込むが、筒部材１０と皿部材１３とがほぼ同じ熱伝導率であるため、均一で急速に充填された口紅等を冷やして固まらせることができる。
［発明を実施するための異なる形態］
【００１５】
次に、図７ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図７ないし図９に示す本発明を実施するための第２の形態において、前記本発明を実施するための最良の第１の形態と主に異なる点は、ハカマ部材６Ａ内に内壁面に軸心方向の凹溝１７が複数個形成された筒部材１０Ａを回転可能に支持するねじ筒１８を固定するとともに、該ねじ筒１８と螺合するねじ棒１９を外周部に前記複数個の凹溝１７と係合する係合片２０、２０を有する、前記本発明を実施するための最良の第１の形態の皿部材と同じ材質で形成した皿部材１３Ａの底面中央部に固定した点で、このように構成した口紅等の収納容器１Ａにしても、前記本発明を実施するための最良の第１の形態と同様な作用効果が得られる。
【００１７】
図１０ないし図１２に示す本発明を実施するための第３の形態において、前記本発明を実施するための第２の形態と主に異なる点は、上部内壁面にねじ部２１が形成されたハカマ部材６Ｂと、このハカマ部材６Ｂのねじ部２１と螺合するねじ部２２が外周部に形成され、上部内壁面にねじ部２３が形成されたねじ筒２４と、このねじ筒２４のねじ部２３と螺合するねじ棒２５を皿部材１３Ａの底面中央部に固定した点で、このように構成した口紅等の収納容器１Ｂにしても、前記本発明を実施するための第２の形態と同様な作用効果が得られる。
【００１８】
図１３ないし図１５に示す本発明を実施するための第４の形態において、前記本発明を実施するための最良の第１の形態と主に異なる点は、下端部がハカマ部材６内に固定された軸心方向の切欠部９が形成された内筒部材２６と、この内筒部材２６の外周部を回動可能に覆うように取付けられた螺旋溝７が形成された螺旋部材８と、この螺旋部材８の外周部を覆う外筒部材２７と、前記内筒部材２６内を上下移動可能に収納された底面が開口し、外周部に前記内筒部材２６の切欠部９および前記螺旋部材８の螺旋溝７と係合する係合ピン１１、１１、内壁面に口紅等の支持片１２が形成された前記筒部材１０の熱伝導率とほぼ同じ熱伝導率
で、口紅等の充填時に前記外筒部材２７の上面より上部が上方に突出させることができる皿部材１３Ｂとを用いた点で、このように構成した口紅等の収納容器１Ｃにしても、前記本発明を実施するための最良の第１の形態と同様な作用効果が得られる。
【００１９】
なお、前記本発明を実施するための各形態では口紅等を充填すると説明したが、この口紅等は口紅、リップクリーム、スチックアイシャドウ、スチックファンデーション等の棒状化粧品のことである。
【産業上の利用可能性】
【００２０】
本発明は口紅等の収納容器を製造する産業で利用される。
【図面の簡単な説明】
【００２１】
【図１】本発明を実施するための最良の第１の形態の断面図。
【図２】本発明を実施するための最良の第１の形態の一部破断面図。
【図３】本発明を実施するための最良の第１の形態の分解斜視図。
【図４】本発明を実施するための最良の第１の形態の口紅等の充填前の状態の説明図。
【図５】本発明を実施するための最良の第１の形態の口紅等の充填している状態の説明図。
【図６】本発明を実施するための最良の第１の形態の口紅等の使用状態の説明図。
【図７】本発明を実施するための第２の形態の断面図。
【図８】本発明を実施するための第２の形態の一部破断面図。
【図９】本発明を実施するための第２の形態の分解斜視図。
【図１０】本発明を実施するための第３の形態の断面図。
【図１１】本発明を実施するための第３の形態の一部破断面図。
【図１２】本発明を実施するための第３の形態の分解斜視図。
【図１３】本発明を実施するための第４の形態の断面図。
【図１４】本発明を実施するための第４の形態の一部破断面図。
【図１５】本発明を実施するための第４の形態の口紅等の充填前の状態の説明図。
【符号の説明】
【００２２】
１、１Ａ、１Ｂ、１Ｃ：口紅等の収納容器、
２：口紅等の充填口、          ３：ハカマ部材本体、
４：キャップ嵌合部、          ５：キャップ嵌合部材、
６、６Ａ、６Ｂ：ハカマ部材、  ７：螺旋溝、
８：螺旋部材、                ９：切欠部、
１０、１０Ａ：筒部材、        １１：係合ピン、
１２：口紅等の支持片、        １３、１３Ａ、１３Ｂ、１３Ｃ：皿部材、
１４：キャップ、              １５：仮蓋、
１６：溶融させた口紅等、            １７：凹溝、
１８：ねじ筒、                １９：ねじ棒、
２０：係合片、                ２１：ねじ部、
２２：ねじ部、                ２３：ねじ部、
２４：ねじ筒、                ２５：ねじ棒、
２６：内筒部材、              ２７：外筒部材。          
【図１】
2006280553.tif 000003
【図２】
2006280553.tif 000004
【図３】
2006280553.tif 000005
【図４】
2006280553.tif 000006
【図５】
2006280553.tif 000007
【図６】
2006280553.tif 000008
【図７】
2006280553.tif 000009
【図８】
2006280553.tif 000010
【図９】
2006280553.tif 000011
【図１０】
2006280553.tif 000012
【図１１】
2006280553.tif 000013
【図１２】
2006280553.tif 000014
【図１３】
2006280553.tif 000015
【図１４】
2006280553.tif 000016
【図１５】
2006280553.tif 000017